【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
患者の組織部位に減圧を行う減圧治療システムにおいて、
減圧を供給するための減圧源；
前記組織部位に近接して配置し、かつ前記組織部位に減圧を分散させるように適合された治療マニホールド；
前記組織部位を覆って配置するためのシール部材において、流体シールを形成するように適合され、かつ治療アパーチャを有するシール部材；および
第１の長手方向端部および第２の長手方向端部ならびに第１の側面および第２の患者対面側面を有する流体供給／貯蔵ブリッジにおいて、前記流体供給／貯蔵ブリッジが、前記治療マニホールドと前記減圧源とを少なくとも部分的に流体結合し、
前記流体供給／貯蔵ブリッジの長さに沿って延在し、前記流体供給／貯蔵ブリッジを通して減圧を供給し、第１の材料を含む供給マニホールド、
前記供給マニホールドに近接し、かつ前記流体供給／貯蔵ブリッジ内に液体を受け、吸収し、および蓄えるように適合された吸収層において、前記吸収層が第２の材料を含み、および前記第２の材料が前記第１の材料とは異なる特性を有する、吸収層
前記供給マニホールドおよび前記吸収層を少なくとも部分的に取り囲む第１の封入層および第２の封入層
を含む流体供給／貯蔵ブリッジ
を含み、
前記流体供給／貯蔵ブリッジの前記第１の側面には、前記第１の長手方向端部に近接して第１のアパーチャが形成され、前記第１のアパーチャが前記減圧源に流体結合されており、および
前記流体供給／貯蔵ブリッジの前記第２の側面には、前記第２の長手方向端部に近接して第２のアパーチャが形成され、前記第２のアパーチャが、前記シール部材の前記治療アパーチャにわたって前記治療マニホールドに流体結合されていることを特徴とする、減圧治療システム。
【請求項２】
請求項１に記載の減圧治療システムにおいて、
前記第１のアパーチャに流体結合された減圧インターフェース；および
前記減圧インターフェースおよび前記減圧源に流体結合された少なくとも１つの供給導管
をさらに含むことを特徴とする、減圧治療システム。
【請求項３】
請求項１または２に記載の減圧治療システムにおいて、前記第２の封入層の前記患者対面側面の前記第２のアパーチャに近接して接着部材をさらに含むことを特徴とする、減圧治療システム。
【請求項４】
請求項１または２または３に記載の減圧治療システムにおいて、前記吸収層がキャピラリー内蔵材料を含むことを特徴とする、減圧治療システム。
【請求項５】
請求項１または請求項２〜４のいずれか一項に記載の減圧治療システムにおいて、前記第１の材料が非吸収性材料を含み、および前記第２の材料が、吸収性の高い材料を含むことを特徴とする、減圧治療システム。
【請求項６】
請求項１または２に記載の減圧治療システムにおいて、前記第１の材料が、流体を分配する複数の流路を備える材料を含み、および前記第２の材料が、以下の少なくとも１つ：キャピラリー内蔵材料、超吸収性ファイバー、ハイドロファイバー、カルボキシメチルセルロースナトリウム、アルギン酸、およびポリアクリル酸ナトリウムを含むことを特徴とする、減圧治療システム。
【請求項７】
請求項１または請求項２〜６のいずれか一項に記載の減圧治療システムにおいて、前記減圧源がマイクロポンプを含むことを特徴とする、減圧治療システム。
【請求項８】
請求項１または請求項２〜６のいずれか一項に記載の減圧治療システムにおいて、前記減圧源がマイクロポンプを含み、および前記マイクロポンプが、前記流体供給／貯蔵ブリッジの前記第１の長手方向端部に結合された圧電ポンプであることを特徴とする、減圧治療システム。
【請求項９】
請求項１または請求項２〜６のいずれか一項に記載の減圧治療システムにおいて、前記減圧源が、前記流体供給／貯蔵ブリッジの前記第１の長手方向端部に結合された圧電ポンプであるマイクロポンプ；前記圧電ポンプに結合されたリモートバッテリーを含むことを特徴とする、減圧治療システム。
【請求項１０】
請求項１または請求項２〜６のいずれか一項に記載の減圧治療システムにおいて、前記減圧源がマイクロポンプを含み；前記マイクロポンプが、前記流体供給／貯蔵ブリッジの前記第１の長手方向端部に結合された圧電ポンプであり；および前記流体供給／貯蔵ブリッジが、前記減圧源を備えた前記第１の長手方向端部に近接した分離部分をさらに含むことを特徴とする、減圧治療システム。
【請求項１１】
請求項１または請求項１〜１０のいずれか一項に記載の減圧治療システムにおいて、前記流体供給／貯蔵ブリッジから流体が出ないように、前記第１のアパーチャに近接して疎水性フィルタをさらに含むことを特徴とする、減圧治療システム。
【請求項１２】
請求項１または請求項１〜１１のいずれか一項に記載の減圧治療システムにおいて、前記流体供給／貯蔵ブリッジが、平面図において表面積Ａ１を有する溜め部分と、平面図において表面積Ａ２を有する配置部分とをさらに含み、Ａ１＞Ａ２であることを特徴とする、減圧治療システム。
【請求項１３】
請求項１または請求項１〜１２のいずれか一項に記載の減圧治療システムにおいて、前記減圧源に関連するバッテリーをさらに含むことを特徴とする、減圧治療システム。
【請求項１４】
請求項１または請求項１〜１３のいずれか一項に記載の減圧治療システムにおいて、前記第１の封入層および前記第２の封入層が、ポリウレタン片から形成されることを特徴とする、減圧治療システム。
【請求項１５】
請求項１または請求項１〜１４のいずれか一項に記載の減圧治療システムにおいて、前記減圧源と前記流体供給／貯蔵ブリッジとの間に流体結合されたキャニスタがないことを特徴とする、減圧治療システム。
【請求項１６】
減圧治療システムと共に使用するための流体供給／貯蔵ブリッジにおいて、
前記流体供給／貯蔵ブリッジの長さに沿って延在し、前記流体供給／貯蔵ブリッジを通して減圧を供給する供給マニホールド；
前記供給マニホールドに近接し、流体を受けて、蓄えるように適合された吸収層；
を含み、
前記流体供給／貯蔵ブリッジが、第１の側面および第２の患者対面側面；
前記供給マニホールドおよび前記吸収層を少なくとも部分的に取り囲む第１の封入層および第２の封入層；
前記流体供給／貯蔵ブリッジの前記第１の長手方向端部に近接して形成された、減圧源からの減圧を前記供給マニホールドへ流体連通するための第１のアパーチャ；および
前記第２の封入層の前記第２の患者対面側面に形成された、組織部位へ減圧を伝えるための第２のアパーチャ
を有することを特徴とする、流体供給／貯蔵ブリッジ。
【請求項１７】
請求項１６に記載の流体供給／貯蔵ブリッジにおいて、前記供給マニホールドが非吸収性材料を含み、および前記吸収層が、吸収性の高い材料を含むことを特徴とする流体供給／貯蔵ブリッジ。
【請求項１８】
請求項１６または１７に記載の流体供給／貯蔵ブリッジにおいて、前記供給マニホールドが、流体を分配する複数の流路を備える材料を含み、および前記吸収層が、以下の少なくとも１つ：キャピラリー内蔵材料、超吸収性ファイバー、ハイドロファイバー、カルボキシメチルセルロースナトリウム、アルギン酸、およびポリアクリル酸ナトリウムを含むことを特徴とする流体供給／貯蔵ブリッジ。
【請求項１９】
請求項１６または１７または１８に記載の流体供給／貯蔵ブリッジにおいて、前記第２の封入層の前記患者対面側面の前記第２のアパーチャに近接して接着部材をさらに含むことを特徴とする流体供給／貯蔵ブリッジ。
【請求項２０】
請求項１６または１７または１８または１９に記載の流体供給／貯蔵ブリッジにおいて、前記吸収層がキャピラリー内蔵材料を含むことを特徴とする流体供給／貯蔵ブリッジ。
【請求項２１】
請求項１６または請求項１７〜２０のいずれか一項に記載の流体供給／貯蔵ブリッジにおいて、前記流体供給／貯蔵ブリッジから流体が出ないようにするために、前記第１のアパーチャに近接して疎水性フィルタをさらに含むことを特徴とする流体供給／貯蔵ブリッジ。
【請求項２２】
請求項１６または請求項１７〜２１のいずれか一項に記載の流体供給／貯蔵ブリッジにおいて、前記流体供給／貯蔵ブリッジが、平面図において表面積Ａ１を有する溜め部分と、平面図において表面積Ａ２を有する配置部分とを有し、Ａ１＞Ａ２であることを特徴とする流体供給／貯蔵ブリッジ。
【請求項２３】
請求項１６または請求項１７〜２２のいずれか一項に記載の流体供給／貯蔵ブリッジにおいて、前記第１の封入層および前記第２の封入層が、ポリウレタン片から形成されることを特徴とする流体供給／貯蔵ブリッジ。
【請求項２４】
減圧治療システムと共に使用するための流体供給／貯蔵ブリッジにおいて、
前記流体供給／貯蔵ブリッジの長さに沿って延在する、組織部位に減圧を供給するための複数の供給マニホールド；
流体を受けて吸収するように適合された吸収層において、前記複数の供給マニホールドの少なくとも２つの供給マニホールド間に配置されている、吸収層；および
前記複数の供給マニホールドおよび前記吸収層を含む封入袋において、
前記複数の供給マニホールドおよび前記吸収層を少なくとも部分的に取り囲む第１の封入層および第２の封入層において、前記第２の封入層が前記流体供給／貯蔵ブリッジの前記第２の患者対面側面を含む、第１の封入層および第２の封入層、
前記流体供給／貯蔵ブリッジの前記第１の長手方向端部に近接して前記第１の封入層に形成され、減圧源からの減圧を前記供給マニホールドに流体連通する第１のアパーチャ、および
前記第２の封入層の患者対面側面に形成され、前記組織部位に減圧を伝える第２のアパーチャ
を含む封入袋
を含むことを特徴とする、流体供給／貯蔵ブリッジ。
【請求項２５】
請求項２４に記載の流体供給／貯蔵ブリッジにおいて、前記吸収層がキャピラリー内蔵材料を含むことを特徴とする、流体供給／貯蔵ブリッジ。
【請求項２６】
請求項２４または２５に記載の流体供給／貯蔵ブリッジにおいて、前記複数の供給マニホールドが、複数の発泡部材を含むことを特徴とする、流体供給／貯蔵ブリッジ。
【請求項２７】
請求項２４または２５または２６に記載の流体供給／貯蔵ブリッジにおいて、前記流体供給／貯蔵ブリッジの前記第１の長手方向端部に結合されたマイクロポンプをさらに含むことを特徴とする、流体供給／貯蔵ブリッジ。
【請求項２８】
請求項２４または２５または２６に記載の流体供給／貯蔵ブリッジにおいて、前記流体供給／貯蔵ブリッジの前記第１の長手方向端部に結合されたマイクロポンプをさらに含み、前記マイクロポンプが、前記流体供給／貯蔵ブリッジの前記第１の長手方向端部に結合された圧電ポンプを含むことを特徴とする、流体供給／貯蔵ブリッジ。
【請求項２９】
請求項２４または２５または２６に記載の流体供給／貯蔵ブリッジにおいて、前記流体供給／貯蔵ブリッジの前記第１の長手方向端部に結合されたマイクロポンプにおいて；前記流体供給／貯蔵ブリッジの前記第１の長手方向端部に結合された圧電ポンプを含むマイクロポンプ；および前記圧電ポンプに結合されているリモートバッテリーをさらに含むことを特徴とする、流体供給／貯蔵ブリッジ。
【請求項３０】
請求項２４または２５または２６に記載の流体供給／貯蔵ブリッジにおいて、前記流体供給／貯蔵ブリッジの前記第１の長手方向端部に流体結合されたマイクロポンプにおいて；圧電ポンプを含むマイクロポンプ；および前記圧電ポンプに結合され、それに近接しているリモートバッテリーをさらに含むことを特徴とする、流体供給／貯蔵ブリッジ。
【請求項３１】
請求項２４または請求項２５〜３０のいずれか一項に記載の流体供給／貯蔵ブリッジにおいて、前記第１のアパーチャを備えた前記第１の長手方向端部に近接して形成された分離部分をさらに含むことを特徴とする、流体供給／貯蔵ブリッジ。
【請求項３２】
請求項２４または請求項２５〜３１のいずれか一項に記載の流体供給／貯蔵ブリッジにおいて、前記流体供給／貯蔵ブリッジの前記患者対面側面の前記第２のアパーチャに近接して接着部材をさらに含むことを特徴とする、流体供給／貯蔵ブリッジ。
【請求項３３】
請求項２４または請求項２５〜３２のいずれか一項に記載の流体供給／貯蔵ブリッジにおいて、前記第１のアパーチャに近接して疎水性フィルタをさらに含むことを特徴とする、流体供給／貯蔵ブリッジ。
【請求項３４】
請求項２４または請求項２５〜３３のいずれか一項に記載の流体供給／貯蔵ブリッジにおいて、前記流体供給／貯蔵ブリッジが、平面図において表面積Ａ１を有する溜め部分と、平面図において表面積Ａ２を有する配置部分とを有し、Ａ１＞Ａ２であることを特徴とする、流体供給／貯蔵ブリッジ。
【請求項３５】
請求項２４または請求項２５〜３３または請求項３６〜３７のいずれか一項に記載の流体供給／貯蔵ブリッジにおいて、前記第２の封入層の前記患者対面側面に結合されたウィッキング層をさらに含むことを特徴とする、流体供給／貯蔵ブリッジ。
【請求項３６】
請求項２４または請求項２５〜３５または３７のいずれか一項に記載の流体供給／貯蔵ブリッジにおいて、前記封入袋内に配置された臭気調整層をさらに含むことを特徴とする、流体供給／貯蔵ブリッジ。
【請求項３７】
請求項２４または請求項２５〜３６のいずれか一項に記載の流体供給／貯蔵ブリッジにおいて、前記封入袋内に配置された導管をさらに含むことを特徴とする流体供給／貯蔵ブリッジ。
【請求項３８】
流体供給／貯蔵ブリッジの製造方法において、
供給マニホールドを提供するステップと；
前記供給マニホールドに近接して吸収層を配置するステップと；
前記供給マニホールドおよび前記吸収層を封入袋に封入するステップにおいて、前記封入袋が、前記供給マニホールドおよび前記吸収層を少なくとも部分的に取り囲む第１の封入層および第２の封入層を含み、前記第２の封入層が、前記流体供給／貯蔵ブリッジの前記第２の患者対面側面を含む、ステップと；
減圧源からの減圧を前記供給マニホールドに流体連通するために、前記流体供給／貯蔵ブリッジの前記第１の長手方向端部に近接して第１のアパーチャを形成するステップと；
組織部位に減圧を伝えるために、前記第２の封入層の前記患者対面側面に第２のアパーチャを形成するステップと
を含むことを特徴とする、方法。
【請求項３９】
請求項３８に記載の製造方法において、前記吸収層がキャピラリー内蔵材料を含むことを特徴とする、方法。
【請求項４０】
請求項３８または３９に記載の製造方法において、前記供給マニホールドが複数の発泡部材を含むことを特徴とする、方法。
【請求項４１】
請求項３８または３９または４０に記載の製造方法において、前記流体供給／貯蔵ブリッジの前記第１の長手方向端部にマイクロポンプを結合するステップをさらに含むことを特徴とする、方法。
【請求項４２】
請求項３８または３９または４０に記載の製造方法において、前記流体供給／貯蔵ブリッジの前記第１の長手方向端部にマイクロポンプを結合するステップをさらに含み、および前記マイクロポンプが、前記流体供給／貯蔵ブリッジの前記第１の長手方向端部に結合された圧電ポンプを含むことを特徴とする、方法。
【請求項４３】
請求項３８または３９または４０に記載の製造方法において、前記流体供給／貯蔵ブリッジの前記第１の長手方向端部にマイクロポンプを結合するステップにおいて；前記マイクロポンプが、前記流体供給／貯蔵ブリッジの前記第１の長手方向端部に結合された圧電ポンプを含むステップと；前記圧電ポンプにリモートバッテリーを結合するステップとをさらに含むことを特徴とする、方法。
【請求項４４】
請求項３８または請求項３９〜４３のいずれか一項に記載の製造方法において、前記第１のアパーチャを備えた前記第１の長手方向端部に近接して前記流体供給／貯蔵ブリッジの分離部分を形成するステップをさらに含むことを特徴とする、方法。
【請求項４５】
請求項３８または請求項３９〜４４のいずれか一項に記載の製造方法において、前記流体供給／貯蔵ブリッジの前記患者対面側面に、前記第２のアパーチャに近接して接着部材を適用するステップをさらに含むことを特徴とする、方法。
【請求項４６】
請求項３８または請求項３９〜４５のいずれか一項に記載の製造方法において、前記第１のアパーチャに近接して疎水性フィルタを配置するステップをさらに含むことを特徴とする、方法。
【請求項４７】
請求項３８または請求項３９〜４６のいずれか一項に記載の製造方法において、前記流体供給／貯蔵ブリッジが、平面図において表面積Ａ１を有する溜め部分と、平面図において表面積Ａ２を有する配置部分とを有し、Ａ１＞Ａ２であることを特徴とする、方法。
【請求項４８】
請求項３８または請求項３９〜４７のいずれか一項に記載の製造方法において、前記第２の封入層の前記患者対面側面にウィッキング層を結合するステップをさらに含むことを特徴とする、方法。
【請求項４９】
請求項３８または請求項３９〜４８のいずれか一項に記載の製造方法において、前記封入袋内に臭気調整層を配置するステップをさらに含むことを特徴とする、方法。
【請求項５０】
請求項３８または請求項３９〜４９のいずれか一項に記載の製造方法において、前記封入袋内に導管を配置することをさらに含むことを特徴とする、方法。